(57)【要約】      （修正有）【課題】底部に貼着された粘着テープを剥がすことなく、容易に折りたたむことができ、かつ、圧縮強度の低下が低減された段ボール箱を提供する。【解決手段】段ボール紙から形成され、対向する前壁２及び後壁３並びに対向する左右一対の側壁４を有する四角筒状部と、上記前壁２及び後壁３の各下端縁から延出する一対の下側外フラップと、上記各側壁４の各下端縁から延出する一対の下側内フラップとを備えて段ボール箱１を形成する。上記各側壁４及び下側内フラップ上に形成され、各側壁４の下端縁を垂直に二等分する第一折り曲げ罫線１１、及び上記各側壁４上に形成され、各側壁４の下端縁の両端と、上記第一折り曲げ罫線１１上の点とを結ぶ第二折り曲げ罫線１２を有し、上記第二折り曲げ罫線１２のなす角が鋭角であることを特徴とする。【選択図】図１
0003174251.tif 000002
【実用新案登録請求の範囲】
【請求項１】
段ボール紙から形成され、
対向する前壁及び後壁並びに対向する左右一対の側壁を有する四角筒状部と、
上記前壁及び後壁の各下端縁から延出する一対の下側外フラップと、
上記各側壁の各下端縁から延出する一対の下側内フラップと
を備える段ボール箱であって、
上記各側壁及び下側内フラップ上に形成され、各側壁の下端縁を垂直に二等分する第一折り曲げ罫線、及び
上記各側壁上に形成され、各側壁の下端縁の両端と、上記第一折り曲げ罫線上の点Ａとを結ぶ第二折り曲げ罫線
を有し、
上記第二折り曲げ罫線のなす角が鋭角であることを特徴とする段ボール箱。
【請求項２】
段ボール紙の厚みをＸ、
上記側壁の下端縁から点Ａまでの距離をＹ、
上記下端縁を底辺とする垂直二等辺三角形の高さをＺとした場合、
下記式（１）を満たす請求項１に記載の段ボール箱。
Ｘ≦Ｙ−Ｚ≦３Ｘ  ・・・  （１）
【請求項３】
上記下側外フラップの延出方向長さが、各側壁の下端縁の長さの半分より短い請求項１又は請求項２に記載の段ボール箱。
【請求項４】
上記下側外フラップの延出方向長さと、各側壁の下端縁の半分の長さとの差が、０．５ｍｍ以上２ｍｍ以下である請求項３に記載の段ボール箱。
【請求項５】
上記前壁及び後壁に罫線が形成されていない請求項１から請求項４のいずれか１項に記載の段ボール箱。
【考案の詳細な説明】
【技術分野】
【０００１】
本考案は、段ボール箱に関するものである。
【背景技術】
【０００２】
段ボール箱は、商品の輸送から陳列までの間、複数の商品をまとめて収容する容器等として用いられている。段ボール箱は、一般的に、あらかじめ下側のフラップを折り込み、底部を形成した状態で、箱内部に商品等を収納して使用される。上記底部の形成は、具体的には、一対の下側内フラップと一対の下側外フラップとを順次折り込み、外フラップ同士の突き合わせ部分に粘着テープ等を貼着することによって行われる。
【０００３】
このように使用される段ボール箱においては、使用後に段ボール箱を折り畳む場合には、底部を固定するために下側外フラップに貼着された粘着テープを剥がす必要がある。また、再度組み立てる場合には、再び粘着テープを貼り直す必要がある。
【０００４】
そこで、このような手間を省くため、図５に示す段ボール箱２１が提案されている（特開平５−１６２７３４号公報参照）。この段ボール箱２１は、一対の側壁及びこれにそれぞれ連結する上側フラップに深さ方向に形成される折り曲げ罫線２２、この側壁の下端縁両端と上記折り曲げ罫線２２を９０°の角度で結んぶように形成される折り曲げ罫線２３、並びに各側壁及び前後壁に深さ方向と垂直方向に形成される折り曲げ罫線２４を有している。この段ボール箱２１によれば、各折り曲げ罫線に沿って折り曲げが可能なため、底部に貼着された粘着テープを剥がすことなく、紙袋のように折り畳むことができるとされている。しかし、この段ボール箱２１においては、深さ方向と垂直方向に折り曲げ罫線２４が形成されているため、圧縮強度が低下するという不都合がある。また、上記段ボール箱２１においては、折り曲げ罫線２３が９０°の角度で折れ曲がって設けられている。このため、所定の厚みを有する段ボール紙を上記各罫線に沿って折り畳もうとすると、この９０°の角の部分で段ボール紙が多段に重なり合うため、嵩張り、きれいに折り畳むことが難しい。
【先行技術文献】
【特許文献】
【０００５】
【特許文献１】特開平５−１６２７３４号公報
【考案の概要】
【考案が解決しようとする課題】
【０００６】
本考案はこれらの不都合に鑑みてなされたものであり、底部に貼着された粘着テープを剥がすことなく、容易に折りたたむことができ、かつ、圧縮強度の低下が低減された段ボール箱の提供を目的とするものである。
【課題を解決するための手段】
【０００７】
上記課題を解決するためになされた考案は、
段ボール紙から形成され、
対向する前壁及び後壁並びに対向する左右一対の側壁を有する四角筒状部と、
上記前壁及び後壁の各下端縁から延出する一対の下側外フラップと、
上記各側壁の各下端縁から延出する一対の下側内フラップと
を備える段ボール箱であって、
上記各側壁及び下側内フラップ上に形成され、各側壁の下端縁を垂直に二等分する第一折り曲げ罫線、及び
上記各側壁上に形成され、各側壁の下端縁の両端と、上記第一折り曲げ罫線上の点Ａとを結ぶ第二折り曲げ罫線
を有し、
上記第二折り曲げ罫線のなす角が鋭角であることを特徴とする。
【０００８】
当該段ボール箱によれば、上記第一及び第二折り曲げ罫線並びに下側外フラップの先端縁に沿って折り曲げることで、底部に貼着された粘着テープを剥がすことなく、容易に折りたたむことができる。なお、当該段ボール箱によれば、上記第二折り曲げ罫線が鋭角に設けられているため、折りたたんだ際、点Ａの位置にまで下側外フラップの先端縁が入り込まず、厚みのある段ボール紙から形成されているにもかかわらず、折りたたんだ際の嵩張りを抑えることができる。また、当該段ボール箱は、上下方向と垂直な方向に余分な罫線を設ける必要がないので、圧縮強度の低下も低減されている。
【０００９】
段ボール紙の厚みをＸ、
上記側壁の下端縁から点Ａまでの距離をＹ、
上記下端縁を底辺とする垂直二等辺三角形の高さをＺとした場合、
下記式（１）を満たすことが好ましい。
Ｘ≦Ｙ−Ｚ≦３Ｘ  ・・・  （１）
【００１０】
当該段ボール箱が上記式（１）を満たす場合、折り畳んだ際の嵩張りなどをより効果的に抑制でき、コンパクトに折り畳むことができる。
【００１１】
上記下側外フラップの延出方向長さが、各側壁の下端縁の長さの半分より短いことが好ましい。このように下側外フラップの延出方向長さを短くすることで、粘着テープが貼着された状態で、下側外フラップを内側に容易に折り曲げることができる。従って、このようにすることで、当該段ボール箱をより容易に折り畳むことができる。
【００１２】
上記下側外フラップの延出方向長さと、各側壁の下端縁の半分の長さとの差が、０．５ｍｍ以上２ｍｍ以下であるとよい。上記下側外フラップの延出方向長さと、各側壁の下端縁の半分の長さとの差を上記範囲とすることで、折り畳みやすさの向上と、底部の強度の低下を抑制とを両立させることができる。
【００１３】
上記前壁及び後壁に罫線が形成されていないことが好ましい。このように前壁及び後壁に罫線を設けないことで、当該段ボール箱の圧縮強度の低下を抑えることができる。
【考案の効果】
【００１４】
以上説明したように本考案の段ボール箱によれば、底部に貼着された粘着テープを剥がすことなく、容易に折りたたむことができ、かつ、圧縮強度の低下が低減されている。従って、当該段ボール箱は、繰り返しの使用等を容易にする。
【図面の簡単な説明】
【００１５】
【図１】本考案の一実施形態に係る段ボール箱を示す斜視図である。
【図２】図１の段ボール箱を示す展開図である。
【図３】図１の段ボール箱の折り畳み途中の状態を示す斜視図である。
【図４】図１の段ボール箱を折り畳んだ状態を示す平面図である。
【図５】従来の折り畳み可能な段ボール箱を示す斜視図である。
【考案を実施するための形態】
【００１６】
以下、適宜図面を参照しつつ、本考案の段ボール箱の実施の形態を詳説する。
【００１７】
図１及び図２の段ボール箱１は、対向する前壁２及び後壁３並びに対向する左右一対の側壁４を有する四角筒状部と、上記前壁２及び後壁３の各上端縁から延出する一対の上側外フラップ５と、上記各側壁４の各上端縁から延出する一対の上側内フラップ６と、前壁２及び後壁３の各下端縁から延出する一対の下側外フラップ７と、各側壁４の各下端縁から延出する一対の下側内フラップ８とを備えている。
【００１８】
この段ボール箱１は、封緘状態で直方体形状に形成され、均一な厚さの一枚の段ボール紙を用いて形成される。当該段ボール箱１のサイズとしては特に限定されず、内容物である商品の大きさ等を考慮して適宜設定される。なお、図１の段ボール箱１中の実線は折り目を示す罫線である。
【００１９】
段ボール箱１を形成する段ボール紙としては、強度の高さ及び加工成形の容易さの観点から、波形に形成された中芯の表面側に積層される表ライナ及び裏面側に積層される裏ライナを備える両面段ボールが好適に用いられる。この際、縦方向の圧力に対して特に高い強度を有するように、中芯の波の尾根方向が四角筒状部（前壁２、後壁３及び側壁４）の高さ方向となるように設計されることが好ましい。
【００２０】
段ボール箱１を形成する段ボール紙の種類としては、特に限定されないが、ＪＩＳ−Ｚ１５１６「外装用ダンボール」に規定されるＡフルート、Ｂフルート又はＣフルートであることが好ましい。このように比較的薄手の段ボール紙を用いることで、より嵩張りを抑えて折り畳むことができる。
【００２１】
前壁２及び後壁３は、同型及び同サイズの矩形形状を有している。一対の側壁４も同型及び同サイズの矩形形状を有している。また、前壁２、後壁３及び一組の側壁４は等しい高さに形成されており、これらによって、直方体形状を有する四角筒状部が形成される。
【００２２】
上記前壁２は、一対の側縁のうち側壁４と接していない側の側縁に糊代部９を備えている。当該段ボール箱１は、この糊代部９を有することで、四角筒状部を形成する際に、この糊代部９をもう一方の側壁４の側縁と前壁２の側縁が接するように側壁４の内面に接着させることにより、四角筒状部を筒状に固定することができる。
【００２３】
２つの上側外フラップ５は、同型及び同サイズの矩形形状を有する。この上側外フラップ５は、組み立てた際の外側の蓋となる。そのため、上側外フラップ５の延出方向長さは、側壁４の幅の１／２となっている。
【００２４】
２つの上側内フラップ６は、同型及び同サイズの矩形形状を有する。上側内フラップ６の延出方向長さは、上側外フラップ５の延出方向長さと等しくなっている。
【００２５】
２つの下側外フラップ７は、同型及び同サイズの矩形形状を有する。この下側外フラップ７は、組み立てた際の外側の底板となる。そのため、通常は、下側外フラップ７の延出方向長さは、側壁４の幅（下端縁の長さ）の１／２となっているが、本考案においては、側壁４の幅（下端縁の長さ）の半分より短いことが好ましい。このように下側外フラップ７の延出方向長さを短くすることで、粘着テープが貼着された状態で、下側外フラップ７を内側に容易に折り曲げることができる。従って、このようにすることで、当該段ボール箱１をより容易に折り畳むことができる。
【００２６】
上記下側外フラップ７の延出方向長さと、各側壁４の下端縁の半分の長さとの差としては、０．５ｍｍ以上２ｍｍ以下が好ましく、０．７ｍｍ以上１．５ｍｍ以下がより好ましい。具体的には、側壁４の幅（下端縁の長さ）を３００ｍｍとした場合、下側外フラップ７の延出方向長さは、例えば、１４９ｍｍとすることが好ましい。このとき、上記下側外フラップ７の延出方向長さと、各側壁４の下端縁の半分の長さとの差は、１ｍｍとなる。上記下側外フラップ７の延出方向長さと、各側壁４の下端縁の半分の長さとの差を上記範囲とすることで、折り畳みやすさの向上と、底部の強度の低下を抑制とを両立させることができる。この差が大きすぎると、下側外フラップ７の延出方向長さが短くなりすぎるため、底板に生じる両下側フラップ７間の隙間が顕著に現れ、強度の低下などが生じる。逆に、この差が小さいと、段ボール紙の厚みをカバーできず、下側外フラップ７を内側に折り畳みにくくなる場合がある。
【００２７】
２つの下側内フラップ８は、同型及び同サイズの矩形形状を有する。下側内フラップ８の延出方向長さは、下側外フラップ７の延出方向長さと等しくなっている。すなわち、好ましくは、下側内フラップ８の延出方向長さは、側壁４の幅（下端縁の長さ）の半分より短い。さらに、上記下側内フラップ８の延出方向長さと、各側壁４の下端縁の半分の長さとの差としては、０．５ｍｍ以上２ｍｍ以下が好ましく、０．７ｍｍ以上１．５ｍｍ以下がより好ましい。このように下側外フラップ７と、下側内フラップ８との延出方向長さを等しくすることで、方形の段ボール紙から無駄なく図２の形状に加工することができる。また、下側内フラップ８の延出方向長さを短くすることで、折り畳んだ際の嵩張りの発生を抑え、折り畳みやすさを高めることができる（図４参照）。
【００２８】
当該段ボール箱１は、２つの第一折り曲げ罫線１１、及び２つの第二折り曲げ罫線１２を有している。
【００２９】
各第一折り曲げ罫線１１は、各側壁４並びにこれらから延出する上側内フラップ６及び下側内フラップ８上に一直線に形成されている。各第一折り曲げ罫線１１は、各上側内フラップ６の先端縁から、下側内フラップ８の先端縁まで、各側壁４の下端縁を垂直に二等分するように縦方向に形成されている。
【００３０】
各第二折り曲げ罫線１２は、各側壁４上に形成されている。各第二折り曲げ罫線１２は、各側壁４の下端縁の両端と、上記第一折り曲げ罫線１１上の点Ａとを結ぶように形成されている。この第二折り曲げ罫線１２は、点Ａで折れ曲がっており、この点Ａにおいてなす角は鋭角である。すなわち、側壁４の下端縁と第二折り曲げ罫線１２とで、上記下端縁を底辺とし、頂角が鋭角である二等辺三角形を形成している。
【００３１】
各第二折り曲げ罫線１２が点Ａにおいてなす角は、鋭角であれば特に限定されないが、例えば６０°以上９０°未満であり、７０°以上８５°以下が好ましい。
【００３２】
当該段ボール箱１によれば、図３及び図４に示すように、上記第一折り曲げ罫線１１、第二折り曲げ罫線１２及び下側外フラップ７の先端縁に沿って折り曲げることで、底部に貼着された粘着テープを剥がすことなく、容易に折りたたむことができる。なお、当該段ボール箱１によれば、上記第二折り曲げ罫線１２が鋭角に設けられているため、折りたたんだ際、点Ａの位置にまで下側外フラップ７の先端縁が入り込まず、厚みのある段ボール紙から形成されているにもかかわらず、折りたたんだ際の嵩張りを抑えることができる（図４参照）。また、当該段ボール箱１は、上下方向と垂直な方向に余分な罫線を設ける必要がないので、圧縮強度の低下も低減されている。
【００３３】
上記点Ａの位置としては、
段ボール紙の厚みをＸ、
上記側壁４の下端縁から点Ａまでの距離をＹ、
上記下端縁を底辺とする垂直二等辺三角形の高さをＺとした場合、
下記式（１）を満たす位置に設られることが好ましく、下記式（２）を満たす位置に設けられることがさらに好ましい。
Ｘ≦Ｙ−Ｚ≦３Ｘ  ・・・  （１）
１．５Ｘ≦Ｙ−Ｚ≦２．５Ｘ  ・・・  （２）
【００３４】
上記式（１）又は式（２）を満たす場合、当該段ボール箱１を折り畳んだ際の嵩張りなどをより効果的に抑制でき、コンパクトに折り畳むことができる。Ｙ−ＺがＸ未満の場合は、折り畳んだ際に点Ａ付近で、側壁４、下側外フラップ７及び下側内フラップ８が密に集まるため、紙厚のある段ボール紙が、嵩張り、きれいに折り曲げることができない。一方、Ｙ−Ｚが３Ｘを超える場合は、折り畳んだ際に側壁６の下端縁部分がはみ出る部分が大きくなり、この点で、コンパクトに折りたたむことができるという本考案の段ボール箱のメリットが低下する。
【００３５】
また、Ｙ−Ｚは、上述の理由から、４ｍｍ以上１６ｍｍ以下が好ましく、５ｍｍ以上１０ｍｍ以下がより好ましい。具体的には、段ボール紙として厚みが約３ｍｍのＢフルートを用いた場合、Ｙ−Ｚは約６ｍｍが好ましく、厚みが約５ｍｍのＡフルートを用いた場合、Ｙ−Ｚは約１０ｍｍが好ましい。
【００３６】
次に、当該段ボール箱１の使用方法について説明する。
【００３７】
当該段ボール箱１は、四角筒状部を形成した後、下側内フラップ８を四角筒状部の内側に直角に折り込み、続けて下側外フラップ７を四角筒状部の内側に直角に折り込むことで底部を完成させることができる。この際、下側外フラップ７の先端縁同士が突き合わされ、この突き合わせ部分に粘着テープを貼着させることにより段ボール箱１の底部が固定される。なお、下側外フラップ７の延出方向長さは、好ましくは側壁４の幅よりやや短いので、折り込んだ際に下側外フラップ７の先端縁同士は支障のない範囲で若干の隙間が生じうるが、特段の支障は生じない範囲である。また、粘着テープは、側壁４までかからないように、下側外フラップ７にのみに貼着させる。
【００３８】
なお、当該段ボール箱１においては、前壁２及び後壁３には罫線が形成されていない。このように前壁２及び後壁３に折り畳むための罫線を設けないことで、当該段ボール箱１の圧縮強度の低下が抑えられている。
【００３９】
当該段ボール箱１を折り畳む際には、図３に示すように、下側外フラップ７に貼着された粘着テープを剥がすことなく、第一折り曲げ罫線１１の点Ａより上部分は内側に、側壁４上の第一折り曲げ罫線１１の点Ａより下側部分は外側に、下側内フラップ８上の第一折り曲げ罫線１１は内側に、下側外フラップ７の突き合わせ部分は内側に折り曲げる。このようにすることで、図４に示すように、当該段ボール箱１を折り畳むことができる。
【００４０】
この際、当該段ボール箱１によれば、上記第二折り曲げ罫線２３が鋭角に設けられているため、折りたたんだ際、点Ａの位置にまで下側外フラップ７の先端縁が入り込まず、厚みのある段ボール紙から形成されているにもかかわらず、折りたたんだ際の嵩張りを抑えることができる。また、上記第二折り曲げ罫線２３が鋭角に設けられていることにより、折りたたんだ際、側壁６の下端縁部分がはみ出ることからも、側壁６及び下側外フラップ７及び下側内フラップ８が無理なく折り畳まれることができる。さらには、下側外フラップ７の延出方向長さを側壁４の下端縁の長さの半分より短く設けることで、粘着テープが貼着された状態で、下側外フラップ７を内側に容易に折り曲げることができる。
【００４１】
なお、本発明の段ボール箱は上記実施形態に限定されるものではない。例えば、上側内フラップ及び上側外フラップを備えていない段ボール箱であってもよい。また、より折り畳みを容易にするために、下側の各フラップが先端に向かって幅が狭くなっている台形状を有していてもよい。
【産業上の利用可能性】
【００４２】
以上のように、本考案の段ボール箱によれば、底部に貼着された粘着テープを剥がすことなく、容易に折りたたむことができ、かつ、圧縮強度の低下が低減されている。従って、当該段ボール箱は、各種商品等を梱包し、繰り返し使用する容器等として好適に用いることができる。
【符号の説明】
【００４３】
１  段ボール箱
２  前壁
３  後壁
４  側壁  
５  上側外フラップ
６  上側内フラップ
７  下側外フラップ
８  下側内フラップ
９  糊代部
１１  第一折り曲げ罫線
１２  第二折り曲げ罫線
【図１】
0003174251.tif 000003
【図２】
0003174251.tif 000004
【図３】
0003174251.tif 000005
【図４】
0003174251.tif 000006
【図５】
0003174251.tif 000007